(57)【要約】【課題】  加工定義の複雑化を防止すると共に、ＮＣデータ生成前に電極製作の可不可を判定することができる電極製作方法を提供する。【解決手段】  電極製造方法は型彫放電加工用の電極を、ワイヤ放電加工機および切削加工機の加工特性と、電極の三次元図面と、電極形状２を識別し特定する電極形状識別情報と、によりワイヤ放電加工機あるいは切削加工機のいずれで加工可能かを自動で選択し、選択した加工機で電極製作を行うＮＣデータを生成して、選択した加工機で生成したＮＣデータから電極製作を行う方法である。電極形状２の加工の可不可から加工機を選択した後、ＮＣデータを生成するため、複雑な定義を設けることなく、電極製作に最適な加工機を選択すると共に、ＮＣデータの生成前に電極製作の可不可を判定できる。【選択図】        図１
2010105080.tif 000002
【特許請求の範囲】
【請求項１】
型彫放電加工機で使用する台座部に突出して配設した電極を、ワイヤ放電加工機および切削加工機の加工特性と、電極の三次元図面と、電極形状を識別し特定する電極形状識別情報と、によりワイヤ放電加工機あるいは切削加工機のいずれで加工するかを選択し、選択した加工機で電極を製作する方法において、
上記三次元図面と、上記電極形状識別情報と、を読み込む読込工程と、
上記読込工程で読み込んだ情報から電極形状の稜線を抽出すると共に、台座部の平面上に位置するＸ方向と、平面上にありＸ方向に直交するＹ方向と、電極の突出した側に向いて上記平面に直交するＺ方向と、Ｘ方向、Ｙ方向、Ｚ方向に所定の寸法を有する電極特定領域と、を定義して、抽出した上記稜線を電極特定領域内で各方向との対応を判断する稜線識別工程と、
上記稜線識別工程で判断した稜線を閉領域として、ＸＹ平面、ＸＺ平面、ＹＺ平面上から見て各平面上における電極形状の最大輪郭となる稜線を夫々特定する輪郭特定工程と、
上記輪郭特定工程で特定したＸＹ平面上から見た最大輪郭を構成する稜線が方形かを判断する方形判断工程と、
上記方形判断工程で方形と判断されなかった稜線が同一台座部上の他の電極形状のＸＹ平面上の最大輪郭を構成する稜線と一直線に並ぶものであれば、上記一直線に並ぶ稜線の方向を新たなＸ方向と補正する基準軸補正工程と、
上記輪郭特定工程で特定したＸＹ平面上から見た全輪郭の何れかに曲線があるか否かを判断する曲線判断工程と、
上記曲線判断工程で特定した曲線以外で、電極形状をＸＺ平面と、ＹＺ平面と、から見て他の電極形状の陰線となる稜線がＸ方向に平行であるか否かを判定する陰線判定工程と、
上記各工程での診断した結果から電極形状が、輪郭に曲線無しの方形で陰線無しもしくは平行な陰線有りのものをワイヤ放電加工機で加工可能とし、輪郭に曲線が有る、方形でない、否平行な陰線が有る、の少なくともいずれか一つを含むものを切削加工機で加工可能とする判定を行う加工手段判定工程と、
上記加工手段判定工程で選択した加工機で加工するための電極製作のＮＣデータを生成するＮＣデータ生成工程と、
上記ＮＣデータに基づき、上記加工手段判定工程の判定により選択された加工機で電極を製作する製作工程と、
を順に行うことを特徴とする電極製作方法。
【請求項２】
上記稜線識別工程で得られた稜線から電極形状における最小溝幅とアスペクト比を算出して、溝の形状と、各加工機の加工特性と、から最小溝幅の溝の加工方法を判断する溝加工判断工程を有することを特徴とする請求項１記載の電極製作方法。
【請求項３】
上記最小溝幅の溝の最小内コーナーの大きさと、上記溝の深さと、各加工機の加工特性と、から最小溝幅の溝の加工方法を判断する内コーナー加工判断工程を有することを特徴とする請求項２記載の電極製作方法。
【請求項４】
上記加工手段判定工程で選択した加工機と、上記選択した加工機の加工特性と、から上記電極を製造するため用いるワイヤ径あるいは工具径を抽出する加工手段明確化工程を有することを特徴とする請求項１〜３のいずれか一つに記載の電極製作方法。
【発明の詳細な説明】
【技術分野】
【０００１】
本発明は、型彫放電加工機で使用する電極を製作する電極製作方法に関するものである。
【背景技術】
【０００２】
従来から、図２２に示すように、金属製品の被加工体１０の加工に、列をなした電極を用いて複数回の加工を行い加工する型彫放電加工が用いられている。そして、その放電に使用される電極は、図２０に示すように、ジグ３に取り付けた台座部１上に加工部である電極形状２が複数個配設されており、詳しくは、図２１に示すように、電極形状２が台座部１上に突出して複数列並んだ構成となっている。
【０００３】
ところで、上記複数列並んだ電極は微細で、且つ多数の図形データで構成されているため、加工機で用いるＮＣデータあるいはＮＣ元データを生成するのに、時間と人手が大変かかり、容易な自動化が望まれるものであった。
【０００４】
ここにおいて、特許文献１に示されているように、完成した製品の図面データを、線や円弧、円の中心や寸法線の配置位置等の要素に分割し、分割した要素から二次元空間で加工を行う加工機に対して二次元加工形状を定義し、三次元空間で加工を行う加工機に対しては更に二次元加工形状から三次元加工形状を定義する。そして、加工機に合わせた上記加工形状に、対応する加工機の加工特性として定義した加工条件を照合して、該加工機で加工可能な部位を判断して、加工可能な部位を加工するためのＮＣデータを生成する。更に、上記加工機で加工不可能な部位である削り残しを新たな二次元加工形状もしくは三次元加工形状と定義して、次の加工機として他の加工機の加工特性である加工条件で新たな二次元加工形状もしくは三次元加工形状の加工可能な部位を判断して、新たなＮＣデータ（削り残し用のＮＣデータ）を生成する。削り残しが無くなる（完成した製品を製造できる）までＮＣデータを生成すると、生成した複数のＮＣデータを順に用いて、製品を製造するＣＡＤ／ＣＡＭ装置がある。
【０００５】
しかし、前の加工機用の削り残しを元に次のＮＣデータを生成するため、複数のＮＣデータ生成後に、製造不可能な図面であることが発覚する恐れがあった。そして、図面データを各要素に分割して定義する必要があると共に、部位毎で加工の可不可を判断するため、各加工形状や、加工機毎の加工条件等の定義が多数必要となり、加工定義が複雑なものとなっている。
【０００６】
また、特許文献２に示すように、電極製作の際に放電ギャップ量や揺動ギャップ量、逃がし量などの電極パラメータを定義し、且つ電極により加工される被加工部の二次元断面形状と、被加工部の二次元断面形状に適合すべく予め設計された各種の図形データと、を用いて電極の三次元加工形状を算出する。そして、算出した三次元形状から電極図面を生成した後、電極図面から電極製作用のＮＣデータを生成するものもある。
【０００７】
しかし、被加工部に適合すべく図形データの定義が多量に必要なものであると共に、ＮＣデータの生成手段の具体的な生成方法や、電極図面の加工に適した加工機の判断や、ＮＣデータ生成前に電極設計の可不可の判断に関する記載の無いものであった。
【特許文献１】特開平０７−３１９５２９号公報
【特許文献２】特開平０８−０１１０１７号公報
【発明の開示】
【発明が解決しようとする課題】
【０００８】
そこで、本発明は上記問題に鑑みて発明したものであり、加工定義の複雑化を防止すると共に、ＮＣデータ生成前に電極製作の可不可を判定することができる電極製作方法を提供することを課題とした。
【課題を解決するための手段】
【０００９】
上記課題を解決するために、本発明の電極製作方法は、型彫放電加工機で使用する台座部１に突出して配設した電極を、ワイヤ放電加工機および切削加工機の加工特性と、電極の三次元図面と、電極形状２を識別し特定する電極形状識別情報と、によりワイヤ放電加工機あるいは切削加工機のいずれで加工するかを選択し、選択した加工機で電極を製作する方法において、上記三次元図面と、上記電極形状識別情報と、を読み込む読込工程Ｓ１と、上記読込工程Ｓ１で読み込んだ情報から電極形状２の稜線４を抽出すると共に、台座部１の平面上に位置するＸ方向と、平面上にありＸ方向に直交するＹ方向と、電極の突出した側に向いて上記平面に直交するＺ方向と、Ｘ方向、Ｙ方向、Ｚ方向に所定の寸法を有する電極特定領域と、を定義して、抽出した上記稜線４を電極特定領域内で各方向との対応を判断する稜線識別工程Ｓ２と、上記稜線識別工程Ｓ２で判断した稜線４を閉領域として、ＸＹ平面、ＸＺ平面、ＹＺ平面上から見て各平面上における電極形状２の最大輪郭となる稜線４を夫々特定する輪郭特定工程Ｓ３と、上記輪郭特定工程Ｓ３で特定したＸＹ平面上から見た最大輪郭を構成する稜線４が方形かを判断する方形判断工程Ｓ４と、上記方形判断工程Ｓ４で方形と判断されなかった稜線４が同一台座部１上の他の電極形状２のＸＹ平面上の最大輪郭を構成する稜線４と一直線に並ぶものであれば、上記一直線に並ぶ稜線４の方向を新たなＸ方向と補正する基準軸補正工程Ｓ５と、上記輪郭特定工程Ｓ３で特定したＸＹ平面上から見た全輪郭の何れかに曲線があるか否かを判断する曲線判断工程Ｓ６と、上記曲線判断工程Ｓ６で特定した曲線以外で、電極形状２をＸＺ平面と、ＹＺ平面と、から見て他の電極形状２の陰線５となる稜線４がＸ方向に平行であるか否かを判定する陰線判定工程Ｓ７と、上記各工程での診断した結果から電極形状２が、輪郭に曲線無しの方形で陰線５無しもしくは平行な陰線５有りのものをワイヤ放電加工機で加工可能とし、輪郭に曲線が有る、方形でない、否平行な陰線５が有る、の少なくともいずれか一つを含むものを切削加工機で加工可能とする判定を行う加工手段判定工程Ｓ８と、上記加工手段判定工程Ｓ８で選択した加工機で加工するための電極製作のＮＣデータを生成するＮＣデータ生成工程Ｓ９と、上記ＮＣデータに基づき、上記加工手段判定工程Ｓ８の判定により選択された加工機で電極を製作する製作工程Ｓ１０と、を順に行うことを特徴とする方法である。
【００１０】
このような構成としたことで、電極の三次元図面と、電極形状識別情報と、により電極形状２の識別に電極形状２における位置と方向の定義を設けるだけで、電極形状２を形成する稜線４や輪郭等の情報から加工可能な加工機を自動で判定することができる。
【００１１】
また、上記稜線識別工程Ｓ２で得られた稜線４から電極形状２における最小溝幅とアスペクト比を算出して、溝６の形状と、各加工機の加工特性と、から最小溝幅の溝６の加工方法を判断する溝加工判断工程Ｓ１１を行うことで、狭ピッチコネクタ等の同一のピッチの突起が複数ある電極に対して、溝６の形状による加工の可不可の判断および最適な加工機の判断がＮＣデータの生成前に確認することができ、より精度の良い電極を製作する電極製作方法となる。
【００１２】
また、上記最小溝幅の溝６の最小内コーナーの大きさと、上記溝６の深さと、各加工機の加工特性と、から最小溝幅の溝６の加工方法を判断する内コーナー加工判断工程Ｓ１２を行うことで、溝６の形状に加え溝６の底の内コーナーの加工の可不可の判断および最適な加工機の判断がＮＣデータの生成前に確認することができ、電極の精度をより向上した電極製作方法となる。
【００１３】
また、上記加工手段判定工程Ｓ１２で選択した加工機と、上記選択した加工機の加工特性と、から上記電極を製造するため用いるワイヤ径あるいは工具径を抽出する加工手段明確化工程を行うことで、製作する電極に適した加工条件、例えばワイヤ径や工具径を自動で判断するため、電極製作時の準備作業が容易になり、加工機の電極製作の準備作業の時間を短縮すると共に、ＮＣデータの精度を向上した電極製作方法となる。
【発明の効果】
【００１４】
上記のように、本発明の電極製作方法は、図面データを予め要素に分割する必要もなく、且つ加工機毎の加工条件や、図面データの部位毎等の複雑な加工定義を設けなくても、電極形状を形成する稜線や輪郭等の情報から、加工可能な加工機を自動で判定すると共に、ＮＣデータ生成前に電極製作の可不可の判定を行うことで、加工機に適したＮＣデータを生成することができ、電極の製作精度の向上した製作方法となっている。
【発明を実施するための最良の形態】
【００１５】
以下、図面に基づいて本発明の実施形態について説明する。
【００１６】
図２０、図２１、図２２に示すような型彫放電加工機で加工部として使用する電極の電極形状２を、ワイヤ放電加工機および切削加工機の加工特性と、電極の三次元図面（三次元電極データ）と、電極形状２を識別し特定する電極形状識別情報と、によりワイヤ放電加工機あるいは切削加工機のいずれで加工するかを選択し、選択した加工機で該電極を製作する方法である。なお、上記電極形状２は方形の台座部１上の同一平面上に突出して複数個ずつ列をなし配置された構成である。
【００１７】
そして、その方法は、図１に示すように、上記三次元図面と上記電極形状識別情報とを読み込む読込工程Ｓ１と、上記読込工程Ｓ１で読み込んだ情報から電極形状２の稜線４を抽出すると共に、台座部１の平面上に位置するＸ方向と、平面上にありＸ方向に直交するＹ方向と、電極形状２の突出した側に向いて上記平面に直交するＺ方向と、Ｘ方向、Ｙ方向、Ｚ方向に所定の寸法を有する電極特定領域と、を定義して、抽出した上記稜線４を電極特定領域内で各方向との対応を判断する稜線識別工程Ｓ２と、上記稜線識別工程Ｓ２で判断した稜線４を閉領域として、ＸＹ平面、ＸＺ平面、ＹＺ平面上から見て各平面上における電極形状２の最大輪郭となる稜線４を夫々特定する輪郭特定工程Ｓ３と、上記輪郭特定工程Ｓ３で特定したＸＹ平面上から見た最大輪郭を構成する稜線４が方形かを判断する方形判断工程Ｓ４と、上記方形判断工程Ｓ４で方形と判断されなかった稜線４が同一台座部１上の他の電極形状２のＸＹ平面上の最大輪郭を構成する稜線４と一直線に並ぶものであれば、上記一直線に並ぶ稜線４の方向を新たなＸ方向と補正する基準軸補正工程Ｓ５と、上記輪郭特定工程Ｓ３で特定したＸＹ平面上から見た全輪郭の何れかに曲線があるか否かを判断する曲線判断工程Ｓ６と、上記曲線判断工程Ｓ６で特定した曲線以外で、電極をＸＺ平面と、ＹＺ平面と、から見て他の電極形状２の陰線５となる稜線４がＸ方向に平行であるか否かを判定する陰線判定工程Ｓ７と、上記各工程での診断した結果から電極形状２が、輪郭に曲線無しの方形で陰線５無しもしくは平行な陰線５有りのものをワイヤ放電加工機で加工可能とし、輪郭に曲線有る、方形でない、否平行な陰線５が有る、の少なくともいずれか一つを含むものを切削加工機で加工可能とする判定を行う加工手段判定工程Ｓ８と、上記加工手段判定工程Ｓ８で選択した加工機で加工するための電極製作のＮＣデータを生成するＮＣデータ生成工程Ｓ９と、生成した上記ＮＣデータに基づき、上記加工手段判定工程Ｓ８の判定により選択された加工機で電極を製作する製作工程Ｓ１０と、を有する構成である。
【００１８】
上記読込工程Ｓ１で読み込む情報の内、三次元図面とは例えば、電極の三次元ＣＡＤデータであり、電極形状識別情報とは、台座部１に配置した電極の突出した電極形状２の分布情報であり、例えば、電極形状２の台座部１の端部からの距離や、電極間の幅や、台座部１に分布する電極形状２が図２１に示すような同種のみのあるいは図２０に示すような異種を混合した配列パターンや、配列した電極形状２の数等である。
【００１９】
上記読込工程Ｓ１が済むと、稜線識別工程Ｓ２へ移行する。読込工程Ｓ１で読み込んだ情報から各電極形状２の稜線４の情報を抽出する。そして、図２に示すように、台座部１を基準台座、台座部１の外側の各辺を基準軸として、基準軸に沿ってＸ方向、Ｙ方向、Ｚ方向を定義すると共に、電極形状２が一つ収まる寸法の電極形状特定領域を台座部１上に定義する。上記電極形状特定領域は、複数存在することが好ましく、例えば、配列パターンに基づき、台座部１に配置される全てもしくはＸ方向とＹ方向に夫々一列分の電極形状２に対して存在する構成としてもよい。
【００２０】
更に、抽出した稜線４と、電極形状特定領域内に位置する電極形状２を構成する稜線４との対応を判断して、抽出した稜線４を電極形状特定領域内の電極形状２に合致させる。抽出した稜線４と電極形状特定領域内の電極形状２との合致とは、抽出した稜線４の情報にＸ方向、Ｙ方向、Ｚ方向成分を付加して、抽出した稜線４を立体的に構成して、三次元ＣＡＤデータと電極形状識別情報とを統合する。
【００２１】
三次元ＣＡＤデータと電極形状識別情報とを統合すると、輪郭特定工程Ｓ３へと移行して、立体的に構成した稜線４が一つの電極形状２であり、閉領域であると判断する。そして、図３に示すように、電極形状特定領域内の電極形状２に対して、ＸＹ平面、ＸＺ平面、ＹＺ平面上から夫々見て、各平面上の最も外側に位置する最外稜線４を抽出して、各平面上で抽出した最外稜線４が構成する輪郭を各平面上での最外輪郭と特定する。
【００２２】
最外輪郭を特定すると輪郭特定工程Ｓ３は完了となり、方形判断工程Ｓ４へと移行する。方形判断工程Ｓ４では、電極形状２のＸＹ平面上の最外輪郭が正方形もしくは長方形であるか否かを判定し、方形であれば、その最外輪郭を構成する稜線４の内、Ｘ方向に沿って複数の電極形状２の稜線４が並んでいるか否かを判定する。
【００２３】
方形の判定方法は、最外輪郭を構成する稜線４の内、Ｘ方向に沿った台座部１の辺に最も近い稜線４のＸ方向に向かって先端が接する他の稜線４とのなす角が略直角であるか否かを判断して、該稜線４のなす角が直角であれば、方形であると判定するものである。
【００２４】
例えば、図４に示すように、夫々の電極形状２が方形であると共に、各電極形状２の最外輪郭を構成する稜線４の一つがＺ方向に一直線に並んだものを有りと判定して、曲線判断工程Ｓ６へと移行する。
【００２５】
また、図５に示すように、電極形状２が方形でないものや、方形であっても最外輪郭を構成する稜線４がＸ方向に沿っていないものや、最外輪郭を構成する稜線４が一直線に並んでいないものを否と判定して、基準軸補正工程Ｓ５へと移行する。
【００２６】
そして、基準軸補正工程Ｓ５では、電極形状２と、他の電極形状２との夫々の上記最外輪郭を構成する稜線４のいずれかで、一直線に並ぶ稜線４が有るか無いかを判定する。例えば、図６に示すように、最外輪郭を構成する稜線４がＸ方向に沿ってはいないが一直線に並ぶ場合、有効基準軸有りと判定して、ＸＹ平面上で台座部１を回転して、その稜線４を結ぶ線の方向Ｘ’を新たなＸ方向、方向Ｘ’に直交する方向Ｙ’を新たなＹ方向とした後、曲線判断工程Ｓ６へと移行する。
【００２７】
また、図７に示すように、稜線４が一直線に並んでないものは、有効基準軸無しと判定した後、途中の工程を省き、加工手段判定工程Ｓ８へ直接移行して、切削加工機での加工と判定する。
【００２８】
方形判断工程Ｓ４あるいは基準軸補正工程Ｓ５から曲線判断工程Ｓ６に移行すると、ＸＹ平面上に存在する全ての輪郭において、輪郭の何れかに曲線が有るか無いかの判断が行われる。詳しくは、輪郭を構成する稜線４と稜線４とがぶつかるコーナーが丸みを有するものか、角を有するものかの判断を行う工程である。
【００２９】
なお、コーナーに丸みを有するものとは、例えば、図８に示すように、台座部１からＺ方向に突出した端面のＸＹ平面上の四隅が所定の曲率半径を有するものである。そして、曲線有りと判断された場合、加工手段判定工程Ｓ８へ直接移行して、切削加工機での加工と判定する。
【００３０】
また、ＸＹ平面上の全輪郭における曲線の判断が完了すると、陰線判定工程Ｓ７へと移行する。そして、陰線判定工程Ｓ７は、Ｙ方向に沿って配列した電極形状２に対して行われ、台座部１のＹ方向の一端に位置する電極形状２のＸＺ平面上の輪郭を基準として、Ｙ方向に配列した電極形状２を構成する稜線４が基準の輪郭により構成される面に隠れる陰線５であるか否かの判定を行う。更に、陰線５であった場合、上記陰線５がＸ方向に平行な線であるか否かの判定を行う。詳しくは、図９に示すように、陰線５の無いものや、陰線５が有るがＸ方向に平行なもののみであり、陰線５に問題無しと判定して、加工手段判定工程Ｓ８に移行する。
【００３１】
また、図１０に示すように、Ｚ方向に沿った陰線５が有る場合や、図１１に示すように、Ｘ方向に沿った陰線５も有るがＸ方向に沿わない陰線５も有る場合は、陰線５に問題有りと判定し、加工手段判定工程Ｓ８へ移行する。
【００３２】
なお、陰線判定工程Ｓ７では、基準軸補正工程Ｓ５でＸ方向の補正を行ったものの中で、電極形状２が方形でないものにＸ方向と平行でない陰線５、詳しくは、図１０に示すように、Ｚ方向に平行の陰線５を生じるため、基準軸補正工程Ｓ５を経由した電極に対して陰線判定工程Ｓ７に加えて方形判定工程Ｓ４を再度行うことができる。
【００３３】
そして、加工手段判定工程Ｓ８では、各工程で診断した結果から、製作する電極、詳しくは、電極形状２が、輪郭に曲線が無く方形で陰線５に問題無しものであるか、否か、の判断が行われる。なお、否と判断されるものとして、輪郭に曲線が有るもの、方形でないもの、Ｘ方向に平行でない陰線５が有るものの少なくとも一つ以上に該当するものである。
【００３４】
電極形状２を輪郭に曲線が無く方形で陰線５に問題無しであると判断すると、ワイヤ放電加工機での製作が可能であると判定され、ＮＣデータ生成工程Ｓ９へ移行して、ワイヤ放電加工用のＮＣデータを生成する。
【００３５】
また、電極形状２が、輪郭に曲線が有るもの、方形でないもの、Ｘ方向に平行でない陰線５が有るもの、の少なくとも一つ以上に該当すると判断すると、切削加工機での製作が可能であると判定され、ＮＣデータ生成工程Ｓ９へ移行して、切削加工用のＮＣデータを生成する。
【００３６】
そして、加工手段判定工程Ｓ８で選択された加工機用のＮＣデータがＮＣデータ生成工程Ｓ９で生成されると、電極製作工程Ｓ１０に移行して、選択された加工機で、該加工機用のＮＣデータに基づいて実際に電極の製作が行われ、型彫放電加工で使用する電極が完成する。
【００３７】
したがって、図面データの各要素や加工機毎に加工する部位を定義しないため、複雑な加工定義とならず、電極形状２を形成する稜線４や輪郭等の情報から、加工可能な加工機を自動で判定でき、最適な加工機を自動で選択する電極製作方法となっている。
【００３８】
そして、加工の可不可の判定後にＮＣデータが生成されるため、ＮＣデータ生成後に加工不可能な部位が発覚して製作不可能となる恐れを抑制することができ、精度の向上した電極の製作を行える電極製作方法となっている。
【００３９】
なお、加工機はワイヤ放電加工機と切削加工機の二つに限定するのでは無く、レーザー加工機等でもよく、本願発明の方法で判定できて、電極製作を行える加工機であれば変更可能である。もちろん、図１のフローチャートの手順で行わずに、基準軸補正工程Ｓ５で有効基準軸無しや曲線判断工程Ｓ６で輪郭に曲線有りと判定されても、加工手段判定工程Ｓ８に直接移行せず、残りの工程（曲線判断工程Ｓ６や陰線判定工程Ｓ７）の判定を行ってから加工手段判定工程Ｓ８に移行する構成としてもよい。
【００４０】
また、他例として、上記加工手段判定工程Ｓ８と、上記ＮＣデータ生成工程Ｓ９と、の間に、図１２に示すフローチャートの工程を加え、図１３に示すような電極形状２に設けた溝６の加工の可不可を判断し、ＮＣデータの作成前に電極再設計の要不要を判断する構成とした電極製作方法である。詳しくは、加工手段判定工程Ｓ８後に、溝加工判断工程Ｓ１１と、内コーナー加工判断工程Ｓ１２と、を行った後、ＮＣデータ生成工程Ｓ９へと移行する構成とした実施形態である。
【００４１】
上記溝加工判断工程Ｓ１１は、稜線識別工程Ｓ２および陰線判定工程Ｓ７で得られたＸＺ平面上およびＹＺ平面上の稜線４の情報から、電極形状２の最小溝幅とアスペクト比（深さ／口溝幅）を算出し、図１４に示すような溝６の形状を判断する。そして、溝６の形状と、加工機の加工特性（加工機が加工可能とする所定の閾値）と、から該加工機で上記溝６を加工可能であるか否かの判定を行う工程である。加工機が加工可能とする所定の閾値とは、例えば、ワイヤ放電加工機のワイヤ７の半径の二倍あるいは切削加工機の工具８の半径の二倍であり、最小溝幅が上記半径の二倍より大きい幅であれば、ワイヤ７あるいは工具８が溝６に入るため、溝６を加工可能であると判断する。
【００４２】
そして、溝加工判定工程Ｓ１１が該加工機で加工可能と判断した場合、内コーナー加工判断工程Ｓ１２へ移行する。内コーナー加工判断工程Ｓ１２は、図１５に示すように、溝６の側面と底面とで構成される内コーナーの中で、最も曲率半径の小さい内コーナーを識別し、該内コーナーの曲率半径と、溝６の深さと、選択した加工機の加工特性と、から、選択した加工機で溝６を加工可能か、否か、の判定を行う工程である。
【００４３】
詳しくは、図１６に示すように、内コーナーの曲率半径が加工機の加工特性（ワイヤ７あるいは工具８の半径）より大きいもしくは同じであれば、加工可能と判断している。そして、上記内コーナー加工判断工程Ｓ１２が該加工機で加工可能と判断した場合、ＮＣデータ生成工程Ｓ９へ移行する。
【００４４】
また、図１７に示すように、内コーナーの曲率半径が加工機の加工特性（ワイヤ７あるいは工具８の半径）より小さいものは、加工不可能と判定され、次の工程へ移行する。
【００４５】
ただし、図１８に示すように、溝６の深さ（溝６の最大深さＤｍａｘ）が電極の放電加工長Ｐ（型彫加工を行う際に電極の加工部として使用される領域）より寸法の長いもの（放電加工長Ｐより最大深さＤｍａｘが大きい値である溝６）に対しては、二次判定が行われる。二次判定は、溝６の最大深さＤｍａｘから加工機の加工特性（ワイヤ７あるいは工具８の半径）を引いた寸法が、電極の放電加工長Ｐより長い寸法であるか、否かを判定する。
【００４６】
図１９に示すように、電極の放電加工長Ｐより長い寸法であれば、内コーナーの形状が電極による型彫加工時に影響しないと判断して加工可能と判定し、ＮＣデータ生成工程Ｓ９へ移行する。
【００４７】
また、溝加工判定工程Ｓ１１あるいは内コーナー加工判断工程Ｓ１２で、該加工機、例えば、ワイヤ放電加工機で加工不可能と判断した場合、フローチャートで下位に位置する（上記加工機より電極製作の精度が低い）他の加工機、例えば、実施例では切削加工機の加工特性で溝加工判定工程Ｓ１１と、内コーナー加工判断工程Ｓ１２と、を再度行う構成となっている。そして、他の加工機で加工可能であれば、ＮＣデータ生成工程Ｓ９へ移行して、変更した他の加工機用のＮＣデータを生成する。
【００４８】
また、他の加工機であっても、加工不可能と判断した場合、それ以上他の加工手段が無ければ、製作不可能と判定して、要電極再設計とする決定を下して、電極製作方法を終了する。
【００４９】
したがって、ＮＣデータ生成工程Ｓ９前に加工機での加工の可不可を行うため、生成したＮＣデータの修正や再生成を防止すると共に、電極製作中に製作できない部位が発覚して加工不可能となる恐れや、加工が不完全で電極として使用できなくなる恐れが無くなり、確実な電極設計を行え、より精度の向上した電極を製作可能となっている。更に、深い溝６の電極として重要でない内コーナーがあっても、加工を中断あるいは中止することなく、型彫放電電極としての使用に支障のない電極製作を行える電極製作方法となっている。
【００５０】
なお、内コーナー加工判断工程Ｓ１２で行った二次判定を、溝加工判定工程Ｓ１１でも行い、溝６の底の形状が加工不可能であっても、溝６の加工不可能の部位が型彫放電電極としての使用に影響しないものであれば、加工可能と判定してもよい。
【００５１】
もちろん、図１２に示すフローチャートを、加工手段判定工程Ｓ８より前の工程として電極製作方法に組み込み、加工手段判定工程Ｓ８の判定要素の一つとしてもよい。
【００５２】
また、内コーナー加工判断工程Ｓ１２とＮＣデータ生成工程Ｓ９の間に、加工手段明確化工程を設けてもよい。加工手段明確化工程とは、各工程からの情報を基に、選択した加工機による加工に必要なワイヤ７あるいは工具８の径等を抽出する工程であり、抽出された情報は、ＮＣデータ生成工程Ｓ９でＮＣデータの生成条件の一つとして参考にされ、ＮＣデータに付加される。
【００５３】
したがって、加工手段明確化工程により、電極製作に必要な加工機の加工条件（ワイヤ７や工具８の径等）が容易に得られ、ＮＣデータの精度が向上し、電極製作をより容易に、且つ高精度で行える電極製作方法となる。
【図面の簡単な説明】
【００５４】
【図１】本発明の各工程に関するフローチャートである。
【図２】同上のＸＹ平面上の電極特定領域を定義した構成図である。
【図３】同上の輪郭特定工程における電極形状の例であり、（ａ）がＸＹ平面上から見た最外輪郭を特定した構成図であり、（ｂ）がＸＺ平面上から見た最外輪郭を特定した構成図であり、（ｃ）がＹＺ平面上から見た最外輪郭を特定した構成図である。
【図４】同上の方形判断工程において、方形であると判断した例であり、（ａ）がＸＹ平面上から見た構成図であり、（ｂ）がＸＺ平面上から見た構成図である。
【図５】同上の方形判断工程において、方形でないと判断した電極形状の例であり、（ａ）がＸＹ平面上から見た構成図であり、（ｂ）がＸＺ平面上から見た構成図である。
【図６】同上の基準軸補正工程において、有効基準軸有りと判定した電極形状の二つの例（ａ）、（ｂ）の各構成図である。
【図７】同上の基準軸補正工程において、有効基準軸無しと判定した電極形状の二つの例（ａ）、（ｂ）の各構成図である。
【図８】同上の曲線判定工程において、曲線有りと判定した電極形状の例であり、（ａ）がＸＹ平面上から見た構成図であり、（ｂ）がＸＺ平面上から見た構成図である。
【図９】同上の陰線判定工程において、ＸＺ平面上から見て陰線に問題無しと判定した例であり、（ａ）が陰線無しにおける構成図であり、（ｂ）が基準軸に平行な陰線有りにおける構成図である。
【図１０】同上の陰線判定工程において、ＸＺ平面上から見て陰線に問題有りと判定した電極形状の例であり、（ａ）がＸＹ平面上から見た構成図であり、（ｂ）がＹＺ平面上から見た構成図である。
【図１１】同上の陰線判定工程において、ＸＺ平面上から見て陰線に問題有りと判定した電極形状の他例であり、（ａ）がＸＹ平面上から見た構成図であり、（ｂ）がＹＺ平面上から見た構成図である。
【図１２】同上の溝加工判定工程と内コーナー加工判断工程とを加えた他例の一部のフローチャート図である。
【図１３】同上の電極形状に溝を有する例の構成図である。
【図１４】同上の溝の形状の三つの例（ａ）、（ｂ）、（ｃ）における各構成図である。
【図１５】同上の溝に内コーナーの有する例の構成図である。
【図１６】同上の内コーナー加工判断工程において、加工可能と判定した例であり、（ａ）は加工特性に対して溝幅が広く且つ内コーナーの曲率半径が大きいものの構成図であり、（ｂ）は加工特性に対して溝幅が同じで且つ内コーナーの曲率半径が同じものの構成図である。
【図１７】同上の内コーナー加工判断工程において、加工特性より曲率半径が小さく加工不可能と判定した例の構成図である。
【図１８】同上の内コーナー加工判断工程における二次判定の説明図である。
【図１９】同上の内コーナー加工判断工程の二次判定において、（ａ）は放電加工長に対して溝の深さが十分深く加工可能と判定した例の構成図であり、（ｂ）は放電加工長に対して溝の深さが浅く加工不可能と判定した例の構成図である。
【図２０】型彫放電加工に使用する電極の斜視図である。
【図２１】同上の電極周辺を拡大した図であり、（ａ）が斜視図であり、（ｂ）が（ａ）の領域Ａを拡大した斜視図である。
【図２２】同上の型彫放電加工の加工動作図の例であり、（ａ）が荒加工であり、（ｂ）が中加工であり、（ｃ）が仕上加工である。
【符号の説明】
【００５５】
１  台座部
２  電極形状
３  ジグ
４  稜線
５  陰線
６  溝
７  ワイヤ
８  工具
１０  被加工体
【図１】
2010105080.tif 000003
【図２】
2010105080.tif 000004
【図３】
2010105080.tif 000005
【図４】
2010105080.tif 000006
【図５】
2010105080.tif 000007
【図６】
2010105080.tif 000008
【図７】
2010105080.tif 000009
【図８】
2010105080.tif 000010
【図９】
2010105080.tif 000011
【図１０】
2010105080.tif 000012
【図１１】
2010105080.tif 000013
【図１２】
2010105080.tif 000014
【図１３】
2010105080.tif 000015
【図１４】
2010105080.tif 000016
【図１５】
2010105080.tif 000017
【図１６】
2010105080.tif 000018
【図１７】
2010105080.tif 000019
【図１８】
2010105080.tif 000020
【図１９】
2010105080.tif 000021
【図２０】
2010105080.tif 000022
【図２１】
2010105080.tif 000023
【図２２】
2010105080.tif 000024